(57)【要約】【課題】マルチ式空気調和機においては、１室がサーモＯＦＦでかつ圧縮機がＯＮの状態において、膨張弁は正常であるにもかかわらず弁がわずかに開き微小の冷媒ガスが流れる場合があり、これを精度良く検知すること。【解決手段】室内機がサーモＯＦＦを所定時間継続し、かつ当該室内機の熱交換器出口温度がサーモＯＦＦ直後との温度に比べ所定温度差以上であり、かつ当該室内機の室内吸込み温度がサーモＯＦＦ直後と比べて所定値高い場合に、当該室内機の熱交換機入口側に設けた膨張弁のイニシャライズを行う。【選択図】  図１
2004251583.tif 000002
【特許請求の範囲】
【請求項１】
一台の室外機に、複数の室内機を接続したマルチ式空気調和機において、冷房運転または除湿運転で圧縮機が所定時間運転を継続した場合であって、室内機がサーモＯＦＦした場合、当該室内機がサーモＯＦＦを所定時間継続し、かつ当該室内機の熱交換器出口温度がサーモＯＦＦ直後との温度に比べ所定温度差以上であり、かつ当該室内機の室内吸込み温度がサーモＯＦＦ直後と比べて所定値高い場合に、当該室内機の熱交換機入口側に設けた膨張弁のイニシャライズを行うことを特徴とする空気調和機。
【請求項２】
一台の室外機に、複数の室内機を接続したマルチ式空気調和機において、冷房運転または除湿運転で圧縮機が所定時間運転を継続した場合であって、室内機がサーモＯＦＦした場合、当該室内機がサーモＯＦＦを所定時間継続し、かつ当該室内機の熱交換器出口温度がサーモＯＦＦ直後との温度に比べ所定温度差以上であり、かつ当該室内機の室内吸込み温度がサーモＯＦＦ直後と比べて所定値高い場合で、かつサーモＯＦＦ後の圧縮機の運転周波数が不変であった場合に、当該室内機の熱交換機入口側に設けた膨張弁のイニシャライズを行うことを特徴とする空気調和機。
【請求項３】
前記膨張弁のイニシャライズは、圧縮機停止後に行うことを特徴とするた請求項１または２記載の空気調和機。
【発明の詳細な説明】
【０００１】
【発明の属する技術分野】
本発明は、２台以上の室内機が接続されたマルチ式空気調和機に関するもので、特に膨張弁からの冷媒漏れの防止に関するものである。
【０００２】
【従来の技術】
従来、この種の空気調和機の膨張弁制御を図１のフローチャートに示す。ある室内機がサーモＯＦＦであるにもかかわらず他の室内機がサーモＯＮで圧縮機が運転されている状態は普通に起こり得る現象である。ここで例えば従来の制御は、冷房運転で、いずれかの室内機が運転停止した場合に、当該室内機の冷媒漏れを冷媒漏れ検知手段で検知し、膨張弁のリカバリー動作を行うものがある。この冷媒漏れ検知手段としては、室内熱交換器の熱交温度センサーを用い、熱交温度が所定値より低くなった場合に冷媒漏れを検知するものである。（例えば特許文献１参照）
【０００３】
【特許文献１】
特開平１０−２６４２９号公報
【０００４】
【発明が解決しようとする課題】
しかしながら、上記従来の構成では、冷房あるいは除湿運転開始時にサーモＯＦＦ室内機に本来流れるはずがない冷媒の流通を検知することから膨張弁の故障を検知することは有効な手段であるが、膨張弁は正常であるにもかかわらず弁がパルスずれでわずかに開き微少の冷媒ガスが流れる場合は検知不能という課題を有していた。この解決のため、熱交換器出口温度設定を変更することで微少の冷媒漏れを検知しようとすると正常であるにもかかわらず異常と判定してしまう誤検知の確立が高くなり、膨張弁の開度異常を検知するには限界があった。
【０００５】
本発明はこのような従来の課題を解決するものであり、膨張弁が正常であるにもかかわらず、弁がパルスずれでわずかに開き微少の冷媒ガスが流れる場合でも異常を検知し、弁を完全に閉じることにより冷媒漏れを防ぐことを可能にし、圧縮機を停止させることなく引続き正常な運転状態を確保する空気調和機を提供することを目的とする。
【０００６】
【課題を解決するための手段】
上記課題を解決するために本発明は、冷房運転または除湿運転で圧縮機が所定時間運転を継続した場合であって、室内機がサーモＯＦＦした場合、当該室内機がサーモＯＦＦを所定時間継続し、かつ当該室内機の熱交換器出口温度がサーモＯＦＦ直後との温度に比べ所定温度差以上であり、かつ当該室内機の室内吸込み温度がサーモＯＦＦ直後と比べて所定値高い場合に、当該室内機の熱交換機入口側に設けた膨張弁のイニシャライズを行うことで、膨張弁を完全に閉じることができ、冷媒漏れを防ぐことができる。
【０００７】
また、上記条件に加え、かつサーモＯＦＦ後の圧縮機の運転周波数が不変であった場合に、当該室内機の熱交換機入口側に設けた膨張弁のイニシャライズを行うことで、より検知精度を向上させることができる。
【０００８】
さらには、膨張弁のイニシャライズは、圧縮機停止後に行うようにしたもので、イニシャライズによる他の室内機への影響を防ぐことができる。
【０００９】
【発明の実施の形態】
以下本発明の実施の形態について図面を参照して説明する。
【００１０】
（実施の形態１）
図１は発明の第１の実施例を示す冷凍サイクル図である。同図において、冷凍サイクルは能力可変型圧縮機１（以下、単に圧縮機と呼ぶ）、室内側熱交換器２、室内送風機３、室内電子膨張弁４（以下、単に膨張弁と呼ぶ）、室外側熱交換器５、室外送風機６、暖房運転と除霜運転を切換える４方弁７、室温を検出するサーミスタ８、室内熱交換器出口温度を検出するサーミスタ９とで構成されている。
【００１１】
図２のフローチャートにより、膨張弁開度異常検知制御の動作を説明する。２台以上の室内機が冷房運転または除湿運転で、圧縮機１が運転状態で１０分以上経過した場合（Ｓ１）、上記運転中の室内機のうち、ある１台がサーモＯＦＦしたら、当該室内機のサーモＯＦＦ直後の吸込み温度Ｔ０及び熱交換器出口温度Ｎ０をそれぞれサーミスタ８、９で検出し、引続きサーモＯＦＦが１０分間継続したら、その時点での吸込み温度Ｔ１及び熱交換器出口温度Ｔ２を検出する。
【００１２】
次ぎに、これらのサーモＯＦＦ直後と１０分経過後の吸込み温度及び熱交換器出口温度を比較し、１０分経過後の吸込み温度がサーモＯＦＦ直後の温度と同等か高い場合（Ｓ２）で、かつ１０分経過後の熱交換器出口温度がサーモＯＦＦ直後の温度より５Ｋ以上高い場合（Ｓ３）は、室内電子膨張弁４のパルスずれによる開度異常で微少の冷媒が漏れていると判断し、ただちに室内電子膨張弁４のイニシャライズを実施（Ｓ４）して弁を完全に閉じ冷媒の漏れを防ぐことができる。
【００１３】
室内の吸い込み温度変化により熱交換器出口温度も影響を受けるため、この両者を判断のパラメータとすることで、冷媒漏れの誤検知を防止することができる。
【００１４】
（実施の形態２）
図３のフローチャートにより、第２の実施形態の動作について説明する。実施の形態１との相違点は、室内電子膨張弁４のイニシャライズの条件として、圧縮機１の周波数変化を加味した点である。すなわち、サーモＯＦＦ後より圧縮機１の運転周波数を監視しておき、実施形態１の条件が満たされ、かつ運転周波数に変化がない場合（Ｓ５）に室内電子膨張弁４のイニシャライズを行う（Ｓ６）ようにしている。これにより、圧縮機周波数変化による熱交換器出口温度や吸い込み温度の変化の影響を排除することで、より正確に冷媒漏れを検知することができる。
【００１５】
なお、上記第１または第２の実施形態においては条件成立後、すぐにイニシャライズを行うようにしているが、条件成立後で、すべての室内機がサーモＯＦＦした場合など圧縮機が停止した際にイニシャライズを行うようにしても良い。圧縮機運転中にイニシャライズを行うと冷凍サイクル状態が変化して、運転中の室内機に影響を及ぼすことがあるが、これを防止することができる。
【００１６】
また、上記説明におけるイニシャライズとは、膨張弁の開度をその時点から所定パルス分だけ閉動作を行うこと、または一旦所定パルスで開動作させた後に、この所定パルスより大きく設定したパルスで閉動作を行うことをいう。
【００１７】
【発明の効果】
上記から明らかなように、本発明は膨張弁からの冷媒漏れを、誤検知なく精度よく検知することができ、もって常時空気調和機の正常な運転状態を確保することができる。
【図面の簡単な説明】
【図１】本発明の空気調和機の冷凍サイクル図
【図２】本発明の実施形態１の空気調和機の制御フローチャート
【図３】本発明の実施形態２の空気調和機の制御フローチャート
【符号の説明】
１  能力可変型圧縮機
２  室内側熱交換器
４  室内電子膨張弁
８  サーミスタ
９  サーミスタ
【図１】
2004251583.tif 000003
【図２】
2004251583.tif 000004
【図３】
2004251583.tif 000005